(57)【要約】  【課題】指掛け部分の軟らかさを実現するための設計の自由度に優れた鋏、及び柄、並びに当該柄を備えた用具を提供する。  【解決手段】鋏Ｈを、硬質の芯材Ｓ１、Ｓ２と芯材Ｓ１、Ｓ２よりも軟質であり外周面Ｙ１２、Ｙ２２の一部を芯材Ｓ１、Ｓ２に接続したリング状の指掛けＹ１、Ｙ２とを有した柄１２、２２を具備するものとした。また、用具に適用される柄１２、２２を、硬質の芯材Ｓ１、Ｓ２と芯材Ｓ１、Ｓ２よりも軟質であり外周面Ｙ１２、Ｙ２２の一部を芯材Ｓ１、Ｓ２に接続したリング状の指掛けＹ１、Ｙ２とを具備してなるものとした。【選択図】図１
2014168530.tif 000002
【特許請求の範囲】
【請求項１】
硬質の芯材とこの芯材よりも軟質であり外周面の一部を前記芯材に接続したリング状の指掛けとを有した柄を具備してなることを特徴とする鋏。
【請求項２】
前記芯材が、前記指掛けを囲む形状をなし、内周面に前記指掛けの外周面に接続した接続部と前記指掛けの外周面と離れた非接続部とを備え、
前記外周面と前記非接続部との間に、前記指掛けの外側への弾性変形を許容し得る空間が形成されている請求項１記載の鋏。
【請求項３】
支軸回りに相対回動する一対の鋏身のそれぞれに前記柄を備えている請求項１又は２記載の鋏。
【請求項４】
用具に適用される柄であって、
硬質の芯材とこの芯材よりも軟質であり外周面の一部を前記芯材に接続したリング状の指掛けとを具備してなることを特徴とする柄。
【請求項５】
硬質の芯材と、この芯材よりも軟質であり外周面の一部を前記芯材に接続したリング状の指掛けとを有した柄を具備してなることを特徴とする用具。
【発明の詳細な説明】
【技術分野】
【０００１】
本発明は、柄を備えた鋏、用具の柄、及び、柄を備えた用具に関する。
【背景技術】
【０００２】
従来、鋏に適用される柄として、手指に対して軟らかな触感を与え使用者の良好な使用感に資するべく、手指が挿通される環状部の内周側に軟質樹脂層を配し、当該軟質樹脂層を指掛け部分としたものが知られている（例えば、特許文献１を参照）。このものは、前記軟質樹脂層における外周面の全域が、その外側に位置する硬質樹脂製或いは金属製の環状部の内周面に接続する構成をなしている。
【０００３】
ところが、このような構成のものでは、生じ得る軟らかさはもっぱら前記軟質樹脂層それ自体に依存するものとならざるを得ない。すなわち、前記軟質樹脂層は、前記環状部に阻止されて外側に移動することができない構造をなしているため、手指に触れる部位の軟らかさは軟質樹脂層の材質や構造によってのみ発揮されるものとなっていた。このため、従来の鋏は、指掛け部分に対し所定の軟らかさを実現するのに一定の限界があった。
【０００４】
以上の事情は、鋏に限られず、鋏以外の用具に適用される柄においても同様である。
【先行技術文献】
【特許文献】
【０００５】
【特許文献１】特開２００３−３１１０４１号公報
【発明の概要】
【発明が解決しようとする課題】
【０００６】
本発明は、以上のような事情に着目してなされたもので、指掛け部分の軟らかさを実現するための設計の自由度に優れた鋏、及び柄、並びに当該柄を備えた用具を提供することにある。
【課題を解決するための手段】
【０００７】
すなわち、本発明は次の構成をなしている。
【０００８】
請求項１に記載の鋏は、硬質の芯材とこの芯材よりも軟質であり外周面の一部を前記芯材に接続したリング状の指掛けとを有した柄を具備してなるものである。
【０００９】
ここで、「接続」とは、相対移動が抑制される程度につながっているという意であり、固着した態様、接着した態様、或いは、溶着した態様を含み、更には、凹凸部や溝等を利用して嵌り合うことにより止着した態様を含んだ概念である。
【００１０】
請求項２に記載の鋏は、請求項１に係る構成において、前記芯材が、前記指掛けを囲む形状をなし、内周面に前記指掛けの外周面に接続した接続部と前記指掛けの外周面と離れた非接続部とを備え、前記外周面と前記非接続部との間に、前記指掛けの外側への弾性変形を許容し得る空間が形成されているものである。
【００１１】
請求項３に記載の鋏は、請求項１又は２に係る構成において、支軸回りに相対回動する一対の鋏身のそれぞれに前記柄を備えているものである。
【００１２】
請求項４に記載のものは、用具に適用される柄であって、硬質の芯材とこの芯材よりも軟質であり外周面の一部を前記芯材に接続したリング状の指掛けとを具備してなるものである。
【００１３】
請求項５に記載の用具は、硬質の芯材と、この芯材よりも軟質であり外周面の一部を前記芯材に接続したリング状の指掛けとを有した柄を具備してなるものである。
【発明の効果】
【００１４】
以上説明したように本発明によれば、指掛け部分の軟らかさを実現するための設計の自由度に優れた鋏、及び柄、並びに当該柄を備えた用具を提供することができる。
【図面の簡単な説明】
【００１５】
【図１】本発明の一実施形態を示す斜視図。
【図２】同実施形態における正面図。
【図３】同実施形態における背面図。
【図４】図２におけるＤ方向矢視図。
【図５】図２におけるＡ−Ａ線断面図。
【図６】図２におけるＢ−Ｂ線断面図。
【図７】図４におけるＣ−Ｃ線断面図。
【図８】同実施形態の使用状態を一例を示す図５対応の断面図。
【図９】他の実施形態を示す概略正面図。
【図１０】他の実施形態を示す概略正面図。
【発明を実施するための形態】
【００１６】
以下、本発明の一実施形態を、図１〜８を参照して説明する。
【００１７】
この実施形態は、本発明を、オフィス等において好適に使用される用具たる事務用の鋏Ｈに適用したものである。
【００１８】
鋏Ｈは、動刃１１に柄１２を取り付けた第一の鋏身１と、静刃２１に柄２２を取り付けた第二の鋏身２とを、支軸３を介して相対回動可能に連結してなるものである。換言すれば、柄１２、２２は、支軸３回りに相対回動する一対の鋏身１、２のそれぞれに取り付けられている。
【００１９】
刃である動刃１１及び静刃２１は、例えば、ステンレス鋼板等の金属板を素材としたものであり、この実施形態のものはプレスにより成形されるものである。これら動刃１１及び静刃２１における基端部分に柄１２、２２が取り付けられている。
【００２０】
柄１２、２２は、硬質の芯材Ｓ１、Ｓ２と、芯材Ｓ１、Ｓ２よりも軟質であり外周面Ｙ１２の一部を芯材Ｓ１、Ｓ２に接続したリング状の指掛けＹ１、Ｙ２を備えている。この実施形態では、一方の柄１２と他方の柄２２とは、略対称形状をなしているが、非対称であってもよい。
【００２１】
芯材Ｓ１、Ｓ２は、連続ループ状の指掛けＹ１、Ｙ２を囲む形状をなしている。すなわち、環形状をなす芯材Ｓ１、Ｓ２が、環形状をなす指掛けＹ１、Ｙ２の周りを取り巻いている。芯材Ｓ１、Ｓ２は、先端部分から中間部分において刃１１、１２の基端部分を支持している。芯材Ｓ１、Ｓ２は、硬質樹脂製のものであり、例えば、ポリエチレン、ポリスチレン、ポリプロピレン、ＡＢＳ樹脂、アクリル酸系樹脂等の熱可塑性樹脂材を用いている。芯材Ｓ１、Ｓ２は、内周面Ｓ１１、Ｓ２１に指掛けＹ１、Ｙ２の外周面Ｙ１２、Ｙ２２に接続した接続部Ｓ１１ａ、Ｓ２１ａと、指掛けＹ１、Ｙ２の外周面Ｙ１２、Ｙ２２と離れた非接続部Ｓ１１ｂ、Ｓ２１ｂとを備えている。
【００２２】
この実施形態では、芯材Ｓ１、Ｓ２の接続部Ｓ１１ａ、Ｓ２１ａは、内周面Ｓ１１、Ｓ２１における左右２箇所にそれぞれ位置しており、芯材Ｓ１、Ｓ２の非接続部Ｓ１１ｂ、Ｓ２１ｂは、内周面Ｓ１１、Ｓ２１における前後２箇所にそれぞれ位置している。
【００２３】
指掛けＹ１、Ｙ２は、一体に連続した環を形成するものであり、芯材Ｓ１、Ｓ２よりも軟らかい合成樹脂により形成されている。指掛けＹ１、Ｙ２は、エラストマー等の弾性のある合成樹脂材を用いている。なお、本実施形態における鋏Ｈの柄１、２は、芯材Ｓ１、Ｓ２と指掛けＹ１、Ｙ２とを一体的に成形（特に、いわゆる二色成形）することにより作られる。
【００２４】
指掛けＹ１、Ｙ２の内周面Ｙ１１、Ｙ２１は、使用者の手指が接触する接触面を構成する。指掛けＹ１、Ｙ２はその外周面Ｙ１２、Ｙ２２に、芯材Ｓ１、Ｓ２の内周面Ｓ１１、Ｓ２１（特に、本実施形態では接続部Ｓ１１ａ、Ｓ２１ａ）に接続する接続部Ｙ１２ａ、Ｙ２２ａと、芯材Ｓ１、Ｓ２の内周面Ｓ１１、Ｓ２１と離れており接続していない非接続部Ｙ１２ｂ、Ｙ２２ｂとを備えている。
【００２５】
指掛けＹ１、Ｙ２は、図５に示すように、断面視において先端部分を滑らかに丸くした三角形状、或いは、三日月形をなしている。換言すれば、指掛けＹ１、Ｙ２の内周面Ｙ２１、Ｙ２２は、開口側に向かって傾斜する一対の傾斜面ｋを有している。このため、図８において一例を示すように、使用者の手指が、指掛けＹ１、Ｙ２における連通孔ｈの連通方向に対して斜めに差し入れられた場合に、手指が内周面Ｙ１１、Ｙ２１に面的に接触し得るものとなり、手指に対する触感を好適なものとし得るとともに手指の抜き差しを容易にし得るようになっている。
【００２６】
しかして、本実施形態における鋏Ｈの柄１２、２２は、指掛けＹ１、Ｙ２の外周面Ｙ１２、Ｙ２２と芯材Ｓ１、Ｓ２の非接続部Ｙ１２ｂ、Ｙ２２ｂとの間に、指掛けＹ１、Ｙ２の外側への弾性変形を許容し得る空間ｓが形成されている。空間ｓは、指掛けＹ１、Ｙ２の前後に形成されている。指掛けＹ１、Ｙ２に手指が挿通されて荷重を受けると、指掛けＹ１、Ｙ２における空間ｓが隣接する部分は、弾性変形によって空間ｓに向かう移動が許容される。
【００２７】
ここで、「前後」の位置は、鋏Ｈ（用具）全体における先端側を前とし、後端側を後としている。より具体的には、刃先側を前とし、その逆側を後としている。
【００２８】
以上説明したように、本実施形態に係る鋏Ｈは、硬質の芯材Ｓ１、Ｓ２と、芯材Ｓ１、Ｓ２よりも軟質であり外周面Ｙ１２、Ｙ２２の一部を芯材Ｓ１、Ｓ２に接続したリング状の指掛けＹ１、Ｙ２とを有した柄１２、２２を具備している。このため、指掛け部分の軟らかさを実現するための設計の自由度に優れた鋏Ｈを提供するものとなる。すなわち、リング状の指掛けＹ１、Ｙ２における外周面Ｙ１２、Ｙ２２の一部のみが芯材Ｓ１、Ｓ２に接続しているため、指掛けＹ１、Ｙ２のその他の部分（非接続部Ｙ１２ｂ、Ｙ２２ｂを有する部分）を外側に移動可能に設計することができ、指掛けＹ１、Ｙ２の軟らかさを実現するための設計の自由度が向上するものとなる。換言すれば、指掛けＹ１、Ｙ２は、芯材Ｓ１、Ｓ２と接続する部位を任意に設定することにより、所望の軟らかさを奏し得る部分を自由に設定できるようになっている。
【００２９】
指掛けＹ１、Ｙ２がリング状をなしているものであるため、使用者の手指が触れる内周面の全部に、樹脂による軟らかさを付与することができるものとなる。
【００３０】
芯材Ｓ１、Ｓ２が、指掛けＹ１、Ｙ２を囲む形状をなし、内周面Ｓ１１、Ｓ２１に指掛けＹ１、Ｙ２の外周面Ｙ１２、Ｙ２２と接続した接続部Ｓ１１ａ、Ｓ２１ａと、指掛けＹ１、Ｙ２の外周面Ｙ１２、Ｙ２２と離れた非接続部Ｓ１１ｂ、Ｓ２１ｂとを備えている。そして、指掛けＹ１、Ｙ２の外周面Ｙ１２、Ｙ２２と芯材Ｓ１、Ｓ２の非接続部Ｓ１１ｂ、Ｓ２１ｂとの間に、指掛けＹ１、Ｙ２の外側への弾性変形を許容し得る空間ｓが形成されている。このため、手指によって荷重を受けた軟質の指掛けＹ１、Ｙ２の外側への移動が、硬質の芯材Ｓ１、Ｓ２によって阻止されないため、指掛けＹ１、Ｙ２そのものの材質や構造による軟らかさに加え、指掛けＹ１、Ｙ２が移動することに伴う手指に対する軟らかさを実現することができるものとなっている。換言すれば、指掛けＹ１、Ｙ２に手指が挿入され、指掛けＹ１、Ｙ２が外方に向かって荷重を受けた場合でも、指掛けＹ１、Ｙ２が空間ｓに向かって弾性変形により移動することができるため、指掛けＹ１、Ｙ２に優れた柔軟性を付与することができるものとなる。
【００３１】
また、芯材Ｓ１、Ｓ２の非接続部Ｓ１１ｂ、Ｓ２１ｂは、指掛けＹ１、Ｙ２が外方に伸長する範囲を規制し得るものであるため、非接続部Ｓ１１ｂ、Ｓ２１ｂの設定により、指掛けＹ１、Ｙ２が過度に変形してしまうことを好適に抑制することが可能になっている。
【００３２】
空間ｓが、指掛けＹ１、Ｙ２の前後に形成されているため、鋏Ｈを利用する際の手指に対して柔軟性が要求され易い部位に好適な軟らかさを付与することができる。換言すれば、指掛けＹ１、Ｙ２の接続部Ｙ１２ａ、Ｙ２２ａは、左右に設けられているため、指掛けＹ１、Ｙ２が芯材Ｓ１、Ｓ２に対して安定的に支持されるものとなる。
【００３３】
支軸３回りに相対回動する一対の鋏身１、２のそれぞれに柄１２、２２を備えているものであるため、親指が挿通される側、及び、その他の指が挿通される側それぞれの指掛けＹ１、Ｙ２に好適な軟らかさを付与することができる。
【００３４】
指掛けＹ１、Ｙ２が、断面視において先端部分を滑らかに丸くした三角形状、或いは、三日月形をなしている。すなわち、指掛けＹ１、Ｙ２の内周面Ｙ２１、Ｙ２２は、開口側に向かって傾斜する一対の傾斜面ｋを有しているため、使用者の手指が、指掛けＹ１、Ｙ２における連通孔ｈの連通方向に対して斜めに差し入れられた場合でも、手指が傾斜面ｋに面的に接触し得るものとなり、手指に対する触感を好適なものとし得るとともに手指の抜き差しを容易にし得るようになっている。
【００３５】
なお、本発明は、以上に詳述した実施形態に限られるものではない。
【００３６】
上述した実施形態では、一方及び他方の柄のそれぞれが芯材及び指掛けを備えたものとしていたが、何れか一方の柄にのみ芯材及び指掛けを備えたものとしても良い。
【００３７】
上述した実施形態では、指掛けの外周面の２箇所が芯材に接続する構成を示していたが、これに限定されるものではない。例えば、図９は、鋏Ｈ’の柄の部分を簡略的に示しているものであるが、同図に示されているように、指掛けＹ’の外周面の１箇所だけが芯材Ｓ’に接続された構成としても良い。
【００３８】
また、図１０に示す鋏Ｈ’’のように、指掛けＹ’’は、芯材Ｓ’’に着脱可能に接続するものであっても良い。このようなものであれば、例えば、大きさの異なる指掛けＹ’’を複数準備しておけば、使用者が好みの大きさの指掛けＹ’’を任意で選択することができるものとなる。すなわち、このような構成のものであれば、使用者に、手指の大きさや嗜好等に合わせて、好ましい指掛けＹ’’を選択させることが可能になる。
【００３９】
芯材は、環状に形成されたもので無くても良い。
【００４０】
空間は、任意に設定することができるものであり、その大きさ等は種々設定することができるものである。
【００４１】
用具は、鋏に限られるものではない。用具には、例えば、スプーン、フォーク、ナイフ、包丁、箸、筆記具、ペンチ、ドライバー等の手工具や、ドア、松葉杖等が挙げられる。
【００４２】
その他、各部の具体的構成についても上記実施形態に限られるものではなく、本発明の趣旨を逸脱しない範囲で種々変形が可能である。
【符号の説明】
【００４３】
１２、２２…柄
Ｈ…鋏
ｓ…空間
Ｓ１、Ｓ２…芯材
Ｙ１、Ｙ２…指掛け
Ｙ１２、Ｙ２２…外周面
【図１】
2014168530.tif 000003
【図２】
2014168530.tif 000004
【図３】
2014168530.tif 000005
【図４】
2014168530.tif 000006
【図５】
2014168530.tif 000007
【図６】
2014168530.tif 000008
【図７】
2014168530.tif 000009
【図８】
2014168530.tif 000010
【図９】
2014168530.tif 000011
【図１０】
2014168530.tif 000012